(57)【要約】【課題】  縦置き設置および横置き設置に対応でき、かつ脚を有効に使用することができる電子機器を提供する。【解決手段】  内部に電子機器を備えた箱型の筐体と、この筐体に着脱可能に取り付けられる脚部５０とを備えた電子機器において、筐体は高さ寸法より奥行寸法が大きく、奥行き寸法より横幅寸法が大きいほぼ矩形状の外観形状を備えるとともに、底面に第１の脚部取付部、一側面に第２の脚部取付部をそれぞれ備え、脚部５０は、高さ寸法が小さい偏平な外観形状を備え、その底面を第１の脚部取付部に取り付けられる第１の筐体取付部５０ｃ、上面に第２の脚部取付部に取り付けられる第２の筐体取付部５０ｄをそれぞれ備え、第１の筐体取付部５０ｃは平坦面で形成され、第２の筐体取付部５０ｄは脚部５０の上面に部分的に形成された凹部であり、この凹部は筐体の一側面と、この一側面に隣接する他の筐体面とで形成される角部を保持するように取り付けられる。【選択図】  図４
2005093629.tif 000002
【特許請求の範囲】
【請求項１】
内部に電子機器を備えた箱型の筐体と、
この筐体に着脱可能に取り付けられる脚部とを備えた電子機器において、
前記筐体は、高さ寸法より奥行寸法が大きく、前記奥行き寸法より横幅寸法が大きいほぼ矩形状の外観形状を備えるとともに、底面に第１の脚部取付部、一側面に第２の脚部取付部をそれぞれ備え、
前記脚部は、高さ寸法が小さい偏平な外観形状を備え、その底面を前記第１の脚部取付部に取り付けられる第１の筐体取付部、上面に第２の脚部取付部に取り付けられる第２の筐体取付部をそれぞれ備え、
前記第１の筐体取付部は平坦面で形成され、第２の筐体取付部は前記脚部の上面に部分的に形成された凹部であり、この凹部は前記筐体の一側面と、この一側面に隣接する他の筐体面とで形成される角部を保持するように取り付けられる
ことを特徴とする電子機器。
【請求項２】
請求項１において、
前記脚部は、その奥行き方向に沿って対称形で、かつ嵌合可能に分割された第１の脚部と第２の脚部とで構成され、
前記第１の脚部と第２の脚部は、２つの筐体を嵌合する嵌合部と嵌合凹部とをそれぞれ備え、
前記第２の筐体取付部は、前記嵌合部と前記嵌合凹部とを嵌合した状態で、前記脚部の上面に形成されることを特徴とする電子機器。
【請求項３】
請求項１において、
前記脚部は、その横幅方向に沿って前記筐体の底面の左右に配置された一対の脚部で構成され、
前記一対の脚部は、それぞれの上面に形成された前記第２の筐体取付部を備えていることを特徴とする電子機器。
【請求項４】
請求項１において、
前記脚部は、前記筐体の底面の四隅に配置された４つの円形脚部で構成され、
前記円形脚部は、その上面に形成された切欠部を備え、
前記切欠部は、前記筐体の一側面と、この一側面に隣接する他の筐体面とで形成される角部を保持するように取り付けられることを特徴とする電子機器。
【発明の詳細な説明】
【技術分野】
【０００１】
本発明は、縦置きおよび横置きが可能な据え置き型電子機器の筐体構造に関する。
【背景技術】
【０００２】
従来、据え置き型の電子機器としては、放送用受信機（以下、チューナーという）やビデオテープレコーダー（以下、ＶＴＲという）、レーザーディスクプレーヤー（以下、ＬＤプレーヤーという）、デジタルビデオディスクプレーヤー（以下、ＤＶＤプレーヤーという）等がある。このような電子機器は、別体のモニターに接続されると共に、モニターの近傍に縦置きあるいは横置きに設置され、モニターに電子機器で再生された映像等の情報を表示するために使用されることが一般的である（例えば、特許文献１および特許文献２参照）。
【０００３】
【特許文献１】特開２００２−７４９２１号公報
【０００４】
【特許文献２】特開平８−１２９８６５号公報
【発明の開示】
【発明が解決しようとする課題】
【０００５】
上記特許文献１に記載の技術では、ＶＴＲ等の電子機器を縦置きで設置する際には、電子機器の設置面に転倒防止用の縦置き用の脚部を取り付けるような筐体構造をなし、この脚部を取り付けることで、モニターの近傍に電子機器を縦置きで設置するようにしている。また、電子機器を横置きで設置する際には、縦置き用の脚を取り外し、電子機器の底面に固定された横置き用の固定脚を介してモニターの近傍に設置している。しかしながら、上記特許文献１においては、ＶＴＲ等の電子機器を横置きで設置する際、取り外した縦置き用の脚部の取り扱いに対する配慮がなされていない。
また、上記特許文献２に記載の技術では、ＶＴＲ等の電子機器を縦置きで設置することを前提としたものであり、電子機器の横置きについての配慮がなされていない。
本発明の目的は、縦置き設置および横置き設置に対応でき、かつ脚部を有効に使用することができる電子機器を提供することにある。
【課題を解決するための手段】
【０００６】
上記目的を達成するために、本発明は、内部に電子機器を備えた箱型の筐体と、この筐体に着脱可能に取り付けられる脚部とを備えた電子機器において、前記筐体は、高さ寸法より奥行寸法が大きく、前記奥行き寸法より横幅寸法が大きいほぼ矩形状の外観形状を備えるとともに、底面に第１の脚部取付部、一側面に第２の脚部取付部をそれぞれ備え、前記脚部は、高さ寸法が小さい偏平な外観形状を備え、その底面を前記第１の脚部取付部に取り付けられる第１の筐体取付部、上面に第２の脚部取付部に取り付けられる第２の筐体取付部をそれぞれ備え、前記第１の筐体取付部は平坦面で形成され、第２の筐体取付部は前記脚部の上面に部分的に形成された凹部であり、この凹部は前記筐体の一側面と、この一側面に隣接する他の筐体面とで形成される角部を保持するように取り付ける。
【発明の効果】
【０００７】
本発明によれば、電子機器を設置する際に、縦置きでも横置きでも対応でき、かつ脚部を有効に使用することができる。
【発明を実施するための最良の形態】
【０００８】
本発明に係る実施形態は、扁平な筐体を縦置きでは安定して設置でき、横置きでは設置面積を大きくすることなく、かつ高さを抑えて設置することができる点を大きな特徴としている。この実施形態では、前記特徴を実現するために、内部に電子機器を備えた箱型の筐体と、この筐体に着脱可能に取り付けられる脚部とで電子機器の筐体構造を構成する。そして、その特徴の１つは、筐体が高さ寸法より奥行寸法が大きく、奥行き寸法より横幅寸法が大きいほぼ矩形状の外観形状を備えるとともに、底面に第１の脚部取付部を、一側面に第２の脚部取付部をそれぞれ備え、前記脚部は、高さ寸法が小さい偏平な外観形状を備えると共に、その底面を前記第１の取付部に取り付けられる第１の筐体取付部と、上面に第２の脚部取付部に取り付けられる第２の筐体取付部をそれぞれ備え、第１の筐体取付部を平坦面で形成し、第２の筐体取付部を脚部の上面に部分的に形成された凹部とし、この凹部を前記筐体の一側面と、この一側面に隣接する他の筐体面とで形成される角部を保持するようにする。
【０００９】
この構造によれば、縦置きでは、脚部の底面を設置面に設置して筐体を保持し、横置きでは、脚部を反転させて、脚部の上面の一部を設置面に設置して筐体を保持することができる。即ち、この実施の形態では、脚部の上面の一部に筐体の一部を保持する第２の筐体取付部を備えるようにする。このため、脚部の上面の他の部分を筐体の投影面積から外側に張り出して前記筐体を保持することができるので、縦長の筐体を広い張り出した脚部で安定設置することができる。
【００１０】
一方、横置きでは、脚部を反転させて、縦置きでは設置面と接触していた底面を筐体の底面に取り付けることができる。一方、縦置きでは筐体の角部を押さえていた凹部以外の上面部分を、横置きでは設置面に接触させて筐体を保持することができるので、設置面と脚部の接触部分を少なくして、筐体の安定設置を可能とすることができる。この実施の形態では、この脚部を１つまたは複数の部材で構成することができる。
以下、図１から図８を参照して、本発明に係る電子機器の実施形態を、チューナーを例として説明する。ここで、同一の部材や部位は同符号をもって示し、重複した説明を省略する。
（第１の実施形態）
図１および図２は本発明の第１の実施形態によるチューナーの外観図であり、図１（ａ）が正面図、図１（ｂ）が底面図、図１（ｃ）が右側面図である。また、図２（ａ）は背面図、図２（ｂ）は開状態の正面図、図２（ｃ）は通電状態の正面図である。
図１において、符号１で総括的に示すのはチューナーであり、この実施形態に係るチューナー１は通常の地上波に加え、衛星放送やＣＡＴＶ、デジタル放送等を受信できると共に、インターネット等のネットワーク回線に接続できるようになっている。
チューナー１は、チューナー本体１０と蓋部２０とで筐体が構成され、正面中央に設けられた電源ボタン３０と、電源ボタン３０の側方に配置された複数の操作ボタン４０と、下面（底面）に設けられた第１の脚部５０ａと第２の脚部５０ｂとを備えている。また、この実施形態に係るチューナー１は、通常の受信機能に加え、受信した情報を記録するハードディスクレコーダー等の内部メモリと、チューナー１の動作を統括的に制御する制御部とを内部に備えている。
【００１１】
操作ボタン４０は、受信信号を切り替える切替ボタン４１と、受信した電波から所望のチャンネルを選択するチャンネル選択ボタン４２と、音量を調節する音量調節ボタン４３とから構成され、右から順に、切替ボタン４１、チャンネル選択ボタン４２、音量調節ボタン４３が配置されている。
第１の脚部５０ａと第２の脚部５０ｂは、ネジ５１を介してチューナー本体１０の底面に形成された第１の脚部取付部１０ａにそれぞれ取り付けられており、チューナー１の設置状態に対応して着脱可能となっている。
【００１２】
図２において、チューナー１の背面には電源端子６１や外部接続端子６２等が配置される端子部６０が設けられており、電源端子６１を介して電源供給を受けると共に、外部接続端子６２を介して別体のＤＶＤプレーヤーやＤＶＤレコーダー、ＶＴＲ等の電子機器と接続できるようになっている。また、チューナー１の正面に設けられた蓋部２０を開くと、メモリーカード等の記録媒体を挿入する記録媒体挿入口７０や、チューナー１を操作するための操作ボタン８０が露出されるようになっている。そして、記録媒体挿入口７０にメモリーカード等の記録媒体を挿入し、操作ボタン８０を操作することで、内部メモリに記録された情報を記録媒体に記録することができる。
【００１３】
図３は本発明の第１の実施形態によるチューナーを使用したテレビジョン受像機の構成図である。図３において、チューナー１はコード１１０を介して、プラズマディスプレイや液晶ディスプレイ等の薄型のモニター１００と接続することでテレビジョン受像機を構成している。このテレビジョン受像機は、別体のリモコン１２０を操作することによりモニター１００の電源がＯＮの状態となり、チューナー１の電源がＯＮの状態であれば、チューナー１はアンテナ１３０を介して電波を受信し、受信した電波情報を画像変換し、モニター１００に画像情報を表示するようになっている。
【００１４】
また、モニター１００の電源がＯＮの状態でチューナー１の電源がＯＦＦの状態であれば、別体のリモコン１２０あるいは電源ボタン３０を操作し、チューナー１の電源をＯＮの状態とすることで、受信電波の画像情報がモニター１００に表示されるようになっている。なお、チューナー１は電源がＯＮの状態になると、図２（ｃ）で示すように、電源ボタン３０の周囲のＬＥＤ９０から、光が浮かび上がるように表示され、チューナー１が通電状態（稼動状態）であることを知らせるようになっている。
【００１５】
また、外部接続端子６２を介して別体のＤＶＤプレーヤーやＤＶＤレコーダー、ＶＴＲ等の電子機器をチューナー１と接続した状態では、リモコン１２０あるいは切替ボタン４１を操作することで、受信電波のチャンネルに加え、チューナー１に接続した電子機器の入力信号（チャンネル）も選択することができるようになっている。さらに、チューナー１には、インターネット等のネットワーク回線１４０を接続することも可能となっており、ネットワーク回線１４０と接続した状態では、ネットワーク回線１４０からの入力信号も選択することができるようになっている。そして、選択したチャンネルに対応した画像情報が、モニター１００に表示されるようになっている。
【００１６】
この実施形態に係るチューナー１の大きな特徴は、チューナー本体１０の底面に第１の脚部５０ａと第２の脚部５０ｂを着脱可能に設け、チューナー１を横置きで設置する場合には、第１の脚部５０ａと第２の脚部５０ｂを第１の脚部取付部１０ａを介してチューナー本体１０の底面に装着したまま設置し、縦置きで設置する場合には、第１の脚部５０ａと第２の脚部５０ｂをチューナー本体１０の底面から取り外し、取り外した一対の脚部５０を嵌合部５２（図1参照）を介して嵌合させた状態で、チューナー１の一方の側面に形成された第２の脚部取付部へ取り付けて設置することができるようにした点である。この点について、図４および図５を参照して説明する。
【００１７】
図４は脚部の構成を示す外観図であり、図４（ａ）は第１および第２の脚部の斜視図、図４（ｂ）は第１と第２の脚部を嵌合させた状態の斜視図である。また、図５はチューナーの設置状態を示す図であり、図５（ａ）がチューナーと脚部の取り付け状態を示す斜視図、図５（ｂ）がチューナーに脚部を取り付けた状態の斜視図である。
図４（ａ）において、第１の脚部５０ａおよび第２の脚部５０ｂは、嵌合部５２と嵌合凹部５３をそれぞれ有すると共に、垂直面５４と水平面５５とを備え、水平面５５にはネジ穴５６が形成されている。また、第１の脚部５０ａおよび第２の脚部５０ｂは、その底面に第１の筐体取付部５０ｃを備え、この第１の筐体取付部５０ｃと第１の脚部取付部１０ａとを介して第１の脚部５０ａおよび第２の脚部５０ｂが筐体の底面（チューナー本体１０の底面）にネジ５１で取り付けられるようになっている。
このような構成からなる第１の脚部５０ａおよび第２の脚部５０ｂは、チューナー本体１０の底面から取り外した状態では、図４（ｂ）で示すように、嵌合部５２と嵌合凹部５３とをそれぞれ嵌合させることで、チューナー１を縦置きの状態で保持する第２の筐体取り付け部５０ｄを有するスタンド状の脚部５０を構成する。この第２の筐体取付部５０ｄは、垂直面５４と水平面５５により形成され、凹形状となるように脚部５０の上面５０ｅに、設けられている。
そして、図５で示すように、チューナー１を縦置きの状態で設置する場合には、脚部５０に形成された第２の筐体取付部５０ｄでチューナー１の片方の側面１４と、この側面１４と隣接する他の筐体面１４ａとで構成される角部を保持し、脚部５０をチューナー１の片方の側面１４に形成された第２の脚部取付部１０ｂと第２の筐体取付部５０ｄとネジ穴５６とを介してチューナー本体１０にネジ５１で取り付けることで、脚部５０がチューナー１に取り付けられるようになっている。
【００１８】
このような構成とすることにより、チューナーを縦置きで設置した状態でも、倒れることなく安定した状態で設置することができる。しかも、縦置きで設置した状態では、チューナーから取り外した脚部を、別途保管する必要がなく、脚部を縦置きで設置する際のスタンドとして有効に活用することができる。
なお、チューナー１は、筐体の底面と左右側面（図１参照）、および図示しない上面にパンチング穴１６（図１参照）が形成され、第１の脚部取付部１０ａおよび第２の脚部取付部１０ｂはパンチング穴１６と馴染むように形成されている。
【００１９】
また、この実施形態では、第２の脚部取付部１０ｂをチューナー１の片方の側面１４に形成しているが、片側の側面１４と対向する他方の側面にも第２の脚部取付部１０ｂを形成するようにしてもよい。
（第２の実施形態）
図６は本発明の第２の実施形態によるチューナーの外観図であり、図６（ａ）は底面から見た斜視図、図６（ｂ）は脚部の斜視図である。
図６において、この第２の実施形態に係るチューナー１は、スタンド状に形成された脚部５０を、第１の脚部取付部１０ａと第１の筐体取付部５０ｃとを介して筐体の底面（チューナー本体１０の底面）に着脱可能に取り付けた構成を特徴としている。この脚部５０は、底面に形成された第１の筐体取付部１０ａと、上面５０ｅの中央部に形成された凹形状の第２の筐体取付部５０ｄとを備えている。
そして、この脚部５０をチューナー本体１０の底面から取り外した状態では、第２の筐体取付部５０ｄでチューナー１の片方の側面１４と、この側面１４と隣接する他の筐体面１４ａとで構成される角部を保持し、脚部５０をチューナー１の片方の側面１４に形成された第２の脚部取付部１０ｂと第２の筐体取付部５０ｄとネジ穴５６とを介してチューナー本体１０にネジ５１で取り付けることで、チューナー１を縦置きの状態で設置することができる。
【００２０】
このような構成とすることにより、縦置きの際に脚部をスタンド状に組み立てる必要がないので、縦置きでの設置を容易に行うことができる。
（第３の実施形態）
図７は本発明の第３の実施形態によるチューナーの外観図であり、図７（ａ）は底面から見た斜視図、図７（ｂ）は脚部の斜視図、図７（ｃ）は縦置き状態の斜視図である。
図７において、この第３の実施形態に係るチューナー１は、スタンド状に形成された一対の脚部５０を、筐体の横幅方向に沿って筐体の底面（チューナー本体１０の底面）に左右対称となるように配置し、この一対の脚部５０を、第１の脚部取付部１０ａと第１の筐体取付部５０ｃとを介して筐体の底面（チューナー本体１０の底面）に着脱可能に取り付けた構成を特徴としている。この一対の脚部５０は、それぞれ、底面に形成された第１の筐体取付部５０ｃと、上面５０ｅに形成された凹形状の第２の筐体取付部５０ｄとを備えている。
【００２１】
そして、この一対の脚部５０をチューナー本体１０の底面から取り外した状態では、チューナー１の片方の側面１４と、この側面１４と隣接する他の筐体面１４ａとで構成される角部の２カ所を、それぞれの第２の筐体取付部５０ｄで保持し、一対の脚部５０をチューナー１の片方の側面１４に形成された第２の脚部取付部１０ｂと第２の筐体取付部５０ｄとネジ穴５６とを介してチューナー本体１０にネジ５１で取り付けることで、チューナー１を縦置きの状態で設置することができる。
このような構成とすることにより、縦置きの際には、チューナーを２カ所で支持することができるので、安定した状態で設置することができる。
（第４の実施形態）
図８は本発明の第４の実施形態によるチューナーの外観図であり、図８（ａ）は底面から見た斜視図、図８（ｂ）は脚部の斜視図、図８（ｃ）は縦置き状態の斜視図である。
図８において、この第４の実施形態に係るチューナー１は、円形に形成された４つの脚部５０を筐体の底面（チューナー本体１０の底面）の四隅に配置し、この４つの脚部５０を、第１の脚部取付部１０ａと第１の筐体取付部５０ｃとを介して筐体の底面（チューナー本体１０の底面）に着脱可能に取り付けた構成を特徴としている。この４つの脚部５０は、それぞれ底面に形成された第１の筐体取付部５０ｃと、上面５０ｅに形成された切欠部５９とを備え、切欠部５９は第２の筐体取付部５０ｄを構成している。
そして、この４つの脚部５０をチューナー本体１０の底面から取り外した状態では、チューナー１の４つの角部を切欠部５９で保持し、４つの脚部５０をチューナー１の片方の側面１４に形成された第２の脚部取付部１０ｂと切欠部５９とを介してチューナー１に取り付けることで、チューナー１を縦置きの状態で設置することができる。
【００２２】
このような構成とすることにより、縦置きの際には、チューナーの四隅をしっかりと固定できるので、より安定した状態で縦置きの設置を行うことができる。
【００２３】
なお、上述した各実施形態では、チューナーを例として説明してきたが、本発明はこれに限定されるものではない。例えば、ＶＴＲやＬＤプレーヤー、ＤＶＤプレーヤー、ＤＶＤレコーダー等の各種の電子機器にも、本発明を適用することができる。
【図面の簡単な説明】
【００２４】
【図１】本発明の第１の実施形態によるチューナーの外観図である。
【図２】本発明の第１の実施形態によるチューナーの外観図である。
【図３】本発明の第１の実施形態によるチューナーを使用したテレビジョン受像機の構成図である。
【図４】本発明の第１の実施形態による脚部の構成を示す外観図である。
【図５】本発明の第１の実施形態によるチューナーの設置状態を示す図である。
【図６】本発明の第２の実施形態によるチューナーの外観図である。
【図７】本発明の第３の実施形態によるチューナーの外観図である。
【図８】本発明の第４の実施形態によるチューナーの外観図である。
【符号の説明】
【００２５】
１…チューナー、１０…チューナー本体、１０ａ…第１の脚部取付部、１０ｂ…第２の脚部取付部、１４…片側の側面、１６…パンチング穴、２０…蓋部、３０…電源ボタン、４０…操作ボタン、４１…切替ボタン、４２…チャンネル選択ボタン、４３…音量調節ボタン、５０…脚部、５０ａ…第１の脚部、５０ｂ…第２の脚部、５０ｃ…第１の筐体取付部、５０ｄ…第２の筐体取付部、５０ｅ…上面、５１…ネジ、５２…嵌合部、５３…嵌合凹部、５４…垂直面、５５…水平面、５６…ネジ穴、５９…切欠部、６０…端子部、６１…電源端子、６２…外部接続端子、７０…記録媒体挿入口、８０…操作ボタン、９０…ＬＥＤ、１００…モニター、１１０…コード、１２０…リモコン、１３０…アンテナ、１４０…ネットワーク回線。
【図１】
2005093629.tif 000003
【図２】
2005093629.tif 000004
【図３】
2005093629.tif 000005
【図４】
2005093629.tif 000006
【図５】
2005093629.tif 000007
【図６】
2005093629.tif 000008
【図７】
2005093629.tif 000009
【図８】
2005093629.tif 000010